(57)【要約】【課題】綴じ込み状態においてＣＤ等を保持するとともに、見開き状態においてその保持状態を簡単に解除させることができ、出し入れの操作性等を向上させた収容具を提供する。【解決手段】１枚又は複数枚の連続する単位シート１０からなるシート１を利用するものであって、前記単位シート１０を所定の折り目１１ａに沿って２つ折りにした綴じ込み状態と、当該単位シート１０を開いた見開き状態との間で開閉可能に構成し、前記綴じ込み状態においてＣＤやＤＶＤ等の薄板状の被収容物３を収容する収容空間を形成するようにしたものであり、前記単位シート１０がシート本体１１と前記折り目１１ａにそって対向配置した一対の折込部１２とを備え、各折込部１２がシート１の綴じ込み動作に伴って前記シート本体１１に対し折り曲げられてシート本体１１との間で前記収容物３を挟み込んで保持するとともに、見開き動作に伴って折込部１２がシート本体１１から離間して被収容物３の保持状態を解除するようにした。【選択図】図９
2004035089.tif 000002
【特許請求の範囲】
【請求項１】
１枚又は複数枚の連続する単位シートからなるシートを利用するものであって、前記単位シートを所定の折り目に沿って２つ折りにした綴じ込み状態と、当該単位シートを開いた見開き状態との間で開閉可能に構成し、前記綴じ込み状態においてＣＤやＤＶＤ等の薄板状の被収容物を収容する収容空間を形成するようにしたものであり、
前記単位シートがシート本体と前記折り目に沿って対向配置した一対の折込部とを備え、各折込部がシートの綴じ込み動作に伴って前記シート本体に対し折り曲げられてシート本体との間で前記収容物を挟み込んで保持するとともに、見開き動作に伴って折込部がシート本体から離間して被収容物の保持状態を解除するようにしたものであることを特徴とする収容具。
【請求項２】
前記単位シートに設けた前記折り目から所定距離離間した位置に被収容物の一部を差し込んで保持し得る第１の切込部を形成していることを特徴とする請求項１記載の収容具。
【請求項３】
前記第１の切込部を、前記折り目から所定距離離間し対向する位置に対をなして形成していることを特徴とする請求項２記載の収容具。
【請求項４】
前記シートが複数枚の連続する前記単位シートからなるものであって、当該各単位シート間の境目に、当該シートを袋綴じ状に形成する所定の山折り部を設けたものであることを特徴とする請求項１、２又は３記載の収容具。
【請求項５】
前記シートが前記折り目を同一線上に配置するように上下に複数枚の連続する単位シートからなるものであって、相隣接する前記折込部の間に各折込部のシート本体に対する折り曲げを許容する第２の切込部を設けたことを特徴とする請求項１、２、３又は４記載の収容具。
【請求項６】
前記収容空間に収容され得る前記被収容物の略中央部分が位置する前記シート本体の一部に、書き込みが可能な書込領域を設けていることを特徴とする請求項１、２、３、４又は５記載の収容具。
【請求項７】
前記シート本体の自由端側に第２書込領域を設けていることを特徴とする請求項１、２、３、４、５又は６記載の収容具。
【請求項８】
前記シート本体に、前記被収容物を載置すべき位置を示す位置指示部を設けていることを特徴とする請求項１、２、３、４、５、６又は７記載の収容具。
【請求項９】
前記シートの両側端部分の裏面を、背表紙を挟んで一対の表紙を一体に形成したカバーによって被覆し、前記シートとカバーとを一体的に形成していることを特徴とする請求項１、２、３、４、５、６、７又は８記載の収容具。
【請求項１０】
前記カバーの背表紙の上端部又は下端部に凹部を設けていることを特徴とする請求項９記載の収容具。
【発明の詳細な説明】
【０００１】
【発明の属する技術分野】
本発明は、ＣＤやＤＶＤ等を収容する収容具に係り、綴じ込み状態においてＣＤ等を保持するとともに、見開き状態においてその保持状態を解除して、出し入れの操作を簡単に行うことができる収容具に関するものである。
【０００２】
【従来の技術】
従来、シートを用いてＣＤ等を収容する収容具としては、例えば、一辺に開口を設けたカバーや、一辺にめくり上げが可能なめくり上げ部を設けたカバーを、シートに取り付け、又は両者を一体に成形し、カバーとシートに囲まれて形成されるポケットにＣＤ等を挿入して収容するものが挙げられる。
【０００３】
【発明が解決しようとする課題】
ところが、このような構成のものであると、ＣＤ等をポケット内に収容する際に、片手でカバーの開口側をシートから浮かすようにして、もしくは前記めくり上げ部をめくり上げてＣＤ等を挿入し得る空間を確保する一方、他方の手でＣＤ等をポケット内に挿入しなければならい。また、ポケットから取り出す際にも上記と同様に両手で操作をしてなければならず、簡単にＣＤ等の出し入れができず、非常に面倒なものである。このような不具合は、ＣＤ等をポケットに収容した状態において、カバーとＣＤ等との隙間がほとんど形成されないように設定したものである場合に顕著に現れる。また、ＣＤ等の内容を記録する領域が確保されていないものであれば、どのＣＤ等をどのポケットに収容すればよいか分からなくなる場合もある。このため、ポケットにＣＤ等の内容を記入したラベルを入れるものも考えられているが、このようなものであっても、ポケット内にＣＤ等を収容した場合には前記ラベルを視認することができず、結局ＣＤ等とラベルの両方に同じ内容の記録を記入しなければならないという重複した作業を強いるものとなる。
【０００４】
本発明は、このような課題に着目してなされたものであって、その目的とするところは、ＣＤ等の出し入れの操作を簡単に行うことができるとともに、適切な保持状態を簡素な構造によって実現する収容具を提供することにある。
【０００５】
【課題を解決するための手段】
すなわち、本発明の収容具は、１枚又は複数枚の連続する単位シートからなるシートを利用するものであって、前記単位シートを所定の折り目に沿って２つ折りにした綴じ込み状態と、当該単位シートを開いた見開き状態との間で開閉可能に構成し、前記綴じ込み状態においてＣＤやＤＶＤ等の薄板状の被収容物を収容する収容空間を形成するようにしたものであり、前記単位シートがシート本体と前記折り目に沿って対向配置した一対の折込部とを備え、各折込部がシートの綴じ込み動作に伴って前記シート本体に対し折り曲げられてシート本体との間で前記収容物を挟み込んで保持するとともに、見開き動作に伴って折込部がシート本体から離間して被収容物の保持状態を解除するようにしたものであることを特徴とする。
【０００６】
このようなものであれば、綴じ込み動作に伴って被収容物を保持し、見開き動作に伴ってその保持状態を解除するため、手や指先に力を入れることなく片手で簡単に被収容物の出し入れの操作を行うことができ、従来品と比べて、出し入れ操作時の手間を有効に解消することができる。しかも、綴じ込み状態においては、折り目の各端部に設けた一対の折込部が、被収容物の一部を保持するするため、適切な保持状態を確保することができる。また、被収容物を傷つけたり折ったりすることなく出し入れと収容状態を維持することができる。
【０００７】
また、前記単位シートに設けた前記折り目から所定距離離間した位置に被収容物の一部を差し込んで保持し得る第１の切込部を形成したものであれば、当該第１の切込部が前記一対の折込部と協働して被収容物を３点で保持することができるため、より適切な保持状態を実現することができる。
【０００８】
さらに、前記第１の切込部を、前記折り目から所定距離離間し対向する位置に対をなして形成しているものとすれば、簡素な構造であっても単位シート毎に少なくとも２枚以上の被収容物を収容することが可能となる。
【０００９】
また、構造の簡素化を図るとともに、多数の被収容物を効率的に収容するためには、前記シートが複数枚の連続する前記単位シートからなるものであって、当該各単位シート間の境目に、当該シートを袋綴じ状に形成する所定の山折り部を設けたものが好ましい。このようなものであれば、単一の素材からシートを成形することができ、リサイクルにも適するものとなる。
【００１０】
加えて、前記シートが前記折り目を同一線上に配置するように上下に複数枚の連続する単位シートからなるものであって、相隣接する前記折込部の間に各折込部のシート本体に対する折り曲げを許容する第２の切込部を設けたものであれば、シートの高さ方向に複数の被収容物を収容することができ、収納機能をさらに高めることができるとともに、第２の切込部を設けるという簡単な作業によって、折込部の作用を損なうことなく、適切な保持状態を確保することができる。
【００１１】
また、前記収容空間に収容され得る前記被収容物の略中央部分が位置する前記シート本体の一部に、書き込みが可能な書込領域を設けているものであれば、その書込領域に被収容物の整理番号や記号等を記載することができる。その結果、被収容物が例えばＣＤやＤＶＤである場合に、ＣＤ等の中心部の丸孔及びその周辺の透明部から前記整理番号等を視認することができるため、ＣＤやＤＶＤが収容されている否かにかかわらず、収容箇所を簡単かつ的確に把握することができる。
【００１２】
また、前記シート本体の自由端側に第２書込領域を設ければ、被収容物の収容箇所をより簡単かつ的確に把握することができる。
【００１３】
さらに、被収容物の収容位置を予め示しておき、被収容物をシート本体に収容する際に位置合わせしやすくするためには、前記シート本体に、前記被収容物を載置すべき位置を示す位置指示部を設ければよい。
【００１４】
このような構成において、前記シートの両側端部分の裏面を、背表紙を挟んで一対の表紙を一体に形成したカバーによって被覆し、前記シートとカバーとを一体的に形成しているものであれば、袋状に綴じた前記シートにある程度の強度を持たせることができるとともに、外観の向上にも資する。
【００１５】
具体的には、前記カバーの背表紙の上端部又は下端部に凹部を設けていることが好ましい。このようなものであればシートとカバーとを一体にした複数の収容具を例えば本棚や別体の収納ケース等に並列に並べた場合、凹部を利用して必要なファイルのみを簡単に取り出すことができる。この場合、綴じ込み状態において、シートの折込部がシート本体に対して折り曲げられてに形成される空間を利用して凹部を設けるため、指を引っかける空間を確保することができ、より簡単に取り出すことができる。また、指を引っかけるための別部材を取り付ける等の工程も省くことができ、コストダウンにつながる。
【００１６】
【発明の実施の形態】
以下、本発明の一実施形態を、図面を参照して説明する。
【００１７】
この実施形態に係る収容具１００は、図１等に図示するように、複数枚の連続する単位シート１０からなるシート１と、当該シート１の両側端部分の裏面を被覆するカバー２とを備え、両者を一体的に形成してなるものである。
【００１８】
各部を説明すると、シート１は、図２及び図３に示すように、矩形状の１枚の折り込み可能な例えば厚紙からなり、前記のとおり、複数枚の連続する単位シート１０からなるものである。勿論、このシート１は紙以外の他の素材で形成しても構わない。
【００１９】
単位シート１０は、図２〜図４に示すように、その略中央位置において形成した折り目１１ａに沿って折り曲げ可能なものであり、２つ折りにした綴じ込み状態と、当該単位シート１０を開いた見開き状態との間で開閉可能に構成し、綴じ込み状態において本発明の被収容物たる例えば円形薄板状のＣＤ３を収容する収容空間を形成するようにしたものである。この単位シート１０は、シート本体１１と、シート１の綴じ込み動作に伴って前記シート本体１１に対し折り曲げられる折込部１２と、ＣＤ３の一部を差し込んで保持し得る第１の切込部１３とを備えるものである。
【００２０】
シート本体１１は、左右中央位置に、前記収容空間を形成する表面から見て谷折り可能な前記折り目１１ａを形成するとともに、ＣＤ３がシート本体１１に載置された場合に当該ＣＤ３の略中央部分が位置する箇所に書き込みが可能な書込領域１１ｂと、シート本体の自由端側に書き込みが可能な第２書込領域１１ｃと、ＣＤ３を載置すべき位置を示す位置指示部１１ｄとを設けたものである。
【００２１】
折込部１２は、前記折り目１１ａの両端部に一対に形成されたものである。具体的には、前記折り目１１ａの端から内方に所定距離離間した位置を頂点１２ａとし、その頂点１２ａから所定の角度をもって単位シート１０の上縁又は下縁まで延びる谷折り可能な一対の斜辺１２ｂを設けたものである。そして、この一対の斜辺１２ｂ及び単位シート１０の上縁又は下縁によって囲まれる二等辺三角形状の領域を折込部１２としている。また、前記折り目１１ａの一部であり、前記頂点１２ａから単位シート１０の上縁又は下縁まで直線に延びる部分１２ｃを、前記表面からみて山折り可能に設定している。
【００２２】
第１の切込部１３は、前記折り目１１ａから所定距離離間し対向する位置に対をなして設けたものである。当該第１の切込部１３は、部分円弧状の切り込み１３ａと、切り込み１３ａの両端から連続して延び、ＣＤ３を前記切り込み１３ａに案内するガイド部１３ｂと、前記ガイド部１３ｂの両端を結ぶ直線に沿って設けた前記表面からみて山折り可能な山折り部１３ｃとを一体的に形成したものである。
【００２３】
本実施形態では、上記のような構成を有する単位シート１０を、前記折り目１１ａを同一線上に配置するように上下に連続して設けている。そして、このように上下一対に単位シート１０を設けたものを１モジュール１４として設定している。
【００２４】
この１モジュール１４の略中央位置において、相隣接する前記各折込部１２の間には、各折込部１２のシート本体１１に対する折り曲げ動作を許容する第２の切込部１４ａを形成している。当該第２の切込部１４ａは、相隣接する一方の折込部１２の斜辺１２ｂと、他方の折込部１２の斜辺１２ｂとが接する接点同士を結ぶ直線に沿ってカットしたものである。
【００２５】
そして、本実施形態において、前記シート１は、長手方向に複数枚の連続する前記モジュール１４からなり、各モジュール１４間の境目にシート１を袋綴じ状に形成する前記表面からみて山折り可能な山折り部１４ｂを設けている。
【００２６】
一方、カバー２は、図５及び図６に示すように、一枚の例えば前記シート１と同質の厚紙から成形されるものであり、背表紙２１を挟んで２２表表紙及び裏表紙２３を一体に形成し、背表紙２１の上端部に凹部２１ａを設けたものである。また、高さ寸法及び巾寸法を前記モジュール１４の高さ寸法及び巾寸法より若干大きく設定している。
【００２７】
次に、図７を参照にして、上記のような各部から構成される収容具１００の製造方法を簡単に説明する。
【００２８】
先ず、一枚の巻き取り紙を輪転機Ｐにかけて、巾方向及び高さ方向に多数枚の連続する単位シート１０からなるシートを印刷する（同図（ａ））。その後、当該シート１を所定の寸法に断裁し（同図（ｂ））、裏面側から各単位シート１０に前記折込部１２、前記第１の切込部１３、前記第２の切込部１４ａ、前記山折り部１４ｂ及び前記折り目１１ａを形成するように打ち抜き加工する（図２参照）。次いで、当該各部を所定の折り目に沿って折り（図３参照）、袋綴じ状のシート１を成形する。一方、カバー２は、シート１と同様に、一枚の巻き取り紙を輪転印刷し、その後所定の寸法に断裁する。その際、背表紙２１の上端部に前記凹部２１ａを形成する。そして、カバー２の裏面側から所定の折り目を付けた後に、当該折り目に沿って折り（図５参照）、表表紙２２及び裏表紙２３を形成し、所定のカバー２を成形する（図６参照）。最後に、前記袋綴じ状にしたシート１の両側端部の裏面の縁部に所定量の糊等を塗布し、その塗布した箇所にカバー２の表表紙２２及び裏表紙２３を密着させて接着することによって、シート１とカバー２とを一体的に形成した収容具１００を成形することができる（図１参照）。
【００２９】
次に、このようにして成形された収容具１００の使用方法について説明する。
【００３０】
先ず、収容具１００にＣＤ３を収容する場合には、図８に示すように、収容具１００を開いて、前記第１の切込部１３の山折り部１３ｃを利用して、ＣＤ３の一部を前記ガイド部１３ｂに案内させながら、前記切り込み１３ａに差し込む。この際に、ＣＤ３の一部がシート本体１１の裏面に当たる状態で軽く保持される。そして、手を離してＣＤ３をシート本体１１上に載置する。この場合、前記折込部１２のシート本体１１に対する折り曲げがない状態か又は折り曲げが緩いため、ＣＤ３と折込部１２が干渉することがなく、ＣＤ３を一対の折込部１２の間に位置させることができる。そして、このような状態から、収容具１００を閉じていくと、図９に図示するように、その動作に伴って前記折込部１２が折り曲げられ、シート本体１１との間でＣＤ３を挟み込んで保持することができる。その際、ＣＤ３は、一対の折込部１２及び第１の切込部１３の３点で保持される。また、対向するＣＤ３の間に折込部１２が挟まれる状態になる。
【００３１】
また、収容具１００からＣＤ３を取り出す場合には、収容具１００を見開き状態にする。そうすると、その動作に伴って折込部１２がシート本体１１から離間して折込部１２のシート本体１１に対する折り曲げがない状態又緩くなった状態になり、折込部１２による保持状態が解除される。これにより、ＣＤ３は第１の切込部１３によってのみ保持される状態になり、折込部１２による保持状態が解除されたＣＤ３の一部が、見開き動作に伴ってシート本体１１から若干浮くため、その浮いた一部を持って取り出すことができる。
【００３２】
このように、本実施形態では、複数枚の連続する単位シート１０からなるシート１を利用し、前記単位シート１０を所定の折り目１１ａに沿って２つ折りにした綴じ込み状態と、当該単位シート１０を開いた見開き状態との間で開閉可能に構成し、前記綴じ込み状態においてＣＤ３を収容する収容空間を形成するようにしたものであり、前記単位シート１０がシート本体１１と前記折り目１１ａに沿って対向配置した一対の折込部１２とを備え、各折込部１２がシート１の綴じ込み動作に伴って前記シート本体１１に対し折り曲げられてシート本体１１との間でＣＤ３を挟み込んで保持するとともに、見開き動作に伴って折込部１２がシート本体１１から離間してＣＤ３の保持状態を解除するようにしたものであるため、手や指先に力を入れることなく片手で簡単にＣＤ３の出し入れの操作を行うことができる。しかも、綴じ込み状態においては、折り目１１ａに沿って対向配置した一対の折込部１２が、ＣＤ３の一部をそれぞれ保持するするため、適切な保持状態を確保することができる。
【００３３】
また、前記単位シート１０に設けた前記折り目１１ａから所定距離離間した位置にＣＤ３の一部を差し込んで保持し得る第１の切込部１３を形成しているので、当該第１の切込部１３が前記一対の折込部１２と協働してＣＤ３を３点で保持することができるため、より適切な保持状態を実現することができる。
【００３４】
さらに、前記折込部１２が単位シート１０の開閉動作に伴って、前記折り目１１ａを挟んで左右に位置するＣＤ３を載置し得る面に同時に離接するものであり、前記第１の切込部１３が、前記折り目１１ａから所定距離離間し対向する位置に対をなして形成されているため、簡素な構造であっても単位シート１０毎に少なくとも２枚以上のＣＤ３を収容することが可能となる。
【００３５】
また、前記シート１が複数枚の連続する前記単位シート１０からなるものであって、当該各単位シート１０間の境目に、当該シート１を袋綴じ状に形成する所定の山折り部１４ｂを設けているため、構造の簡素化を図るとともに、複数のＣＤ３を効率的に収容することができる。また、単一の素材からシート１を成形するため、リサイクルにも適するものとなる。
【００３６】
加えて、前記シート１が前記折り目１１ａを同一線上に配置するように上下に複数枚の連続する単位シート１０からなるものであって、相隣接する前記折込部１２の間に各折込部１２のシート本体１１に対する折り曲げを許容する第２の切込部１４ａを設けているので、シート１の高さ方向に複数のＣＤ３を収容することができ、収納機能をさらに高めることができるとともに、第２の切込部１４ａを設けるという簡単な作業によって、折込部１２の作用を損なうことなく、適切な保持状態を確保することができる。
【００３７】
また、前記収容空間に収容され得るＣＤ３の略中央部分が位置する前記シート本体１１の一部に、書き込みが可能な書込領域１１ｂを設けているため、その書込領域１１ｂにＣＤ３の整理番号や記号等を記載することができる。その結果、ＣＤ３の中心部の丸孔及びその半周辺の透明部から前記整理番号等が視認できるため、ＣＤ３が収容されている否かにかかわらず、収容箇所を簡単かつ的確に把握することができる。
【００３８】
さらに、前記シート本体１１の自由端側に第２書込領域１１ｃを設けているので、ＣＤ３の収容箇所をより簡単かつ的確に把握することができる。
【００３９】
加えて、前記シート本体１１に、ＣＤ３を載置すべき位置を示す位置指示部１１ｄを設けているため、ＣＤ３の収容位置を簡単に認知することができ、ＣＤ３をシート本体１１に収容する際の位置合わせを容易に行うことができる。
【００４０】
また、前記シート１の両側端部分の裏面を、背表紙２１を挟んで一対の表紙２２、２３を一体に形成したカバー２によって被覆し、前記シート１とカバー２とを一体的に形成しているもので、袋状に綴じた前記シート１にある程度の強度を持たせることができるとともに、外観の向上を図ることができる。
【００４１】
このようにして一体的に成形した複数の収容具１００を、例えば図１０に示すように、別体の収納ケースＣに収納させることもできる。この場合、前記カバー１の背表紙２１の上端部に凹部２１ａを設けているので、この凹部２１ａを利用して必要な収容具１００のみを収納ケースＣから簡単に取り出すことができる。この場合、図１１に示すように、綴じ込み状態において、シート１の折込部１２がシート本体１１に対して折り曲げられて形成される空間Ｓを利用して凹部２１ａを設けているため、凹部２１ａに指を引っかけることができ、より簡単に取り出すことができる。また、指を引っかけるための別部材を取り付ける等の工程も省くことができ、コストダウンにつながる。
【００４２】
なお、各部の具体的な構成は、上述した実施形態のみに限定されるものではない。例えば、製作過程において、複数枚の単位シートを印刷したシートを断裁する際に、巾方向及び高さ方向に連続する単位シートの枚数を調節することによって、使用態様に合わせて、例えばコンパクトなものや多数のＣＤを収容することができるものを簡単に成形することができる。
【００４３】
また、ＣＤに限らず、ＤＶＤ等の薄板状のものであれば収容することができ、折込部や第１の切り込み部の形状や寸法を調節することによって例えばフレキシブルディスクやカード類等も収容することができる。
【００４４】
また、シートやカバーは、再生紙を用いて製造することも勿論可能である。また、カバーの背表紙の上端部に設けた凹部を、背表紙の下端部に設けたものであっても上記実施形態と同様の効果を奏する。
【００４５】
その他、本発明の趣旨を逸脱しない範囲で種々変形が可能である。
【００４６】
【発明の効果】
以上説明したように、本発明によれば、綴じ込み動作に伴って被収容物を保持し、見開き動作に伴ってその保持状態を解除するため、手や指先に力を入れることなく片手で簡単に被収容物の出し入れの操作を行うことができる。しかも、綴じ込み状態においては、折り目の各端部に設けた一対の折込部が、被収容物の一部をそれぞれ保持するするため、適切な保持状態を確保することができる。
【図面の簡単な説明】
【図１】本発明の一実施形態に収容具の全体斜視図。
【図２】同実施形態におけるシートの一部を裏面側から見た展開平面図。
【図３】同実施形態におけるシートの一部を表面側から見た展開斜視図。
【図４】同実施形態における１モジュールを裏面側から見た展開平面図。
【図５】同実施形態におけるカバーの展開平面図。
【図６】同実施形態におけるカバーの斜視図。
【図７】同実施形態におけるシートの製造方法の説明図。
【図８】同実施形態に係る収容具の作用説明図。
【図９】同実施形態に係る収容具の作用説明図。
【図１０】同実施形態に係る収容具の一収納例を示す図。
【図１１】同実施形態に係る収容具を収納ケースに収納した側面図。
【符号の説明】
１…シート
１０…単位シート
１１…シート本体
１１ａ…折り目
１１ｂ…書込領域
１１ｃ…第２書込領域
１１ｄ…位置指示部
１２…折込部
１３…第１の切込部
１４ｂ…山折り部
１４ａ…第２の切込部
２…カバー
２１…背表紙
２１ａ…凹部
３…ＣＤ（被収容物）
１００…収容具
【図１】
2004035089.tif 000003
【図２】
2004035089.tif 000004
【図３】
2004035089.tif 000005
【図４】
2004035089.tif 000006
【図５】
2004035089.tif 000007
【図６】
2004035089.tif 000008
【図７】
2004035089.tif 000009
【図８】
2004035089.tif 000010
【図９】
2004035089.tif 000011
【図１０】
2004035089.tif 000012
【図１１】
2004035089.tif 000013